(57)【要約】【課題】便房及びこれに取付けられる音声案内装置に関する。視覚障害者が一人で円滑に用足しをすることができる便房を提供する。【解決手段】便房内の視覚障害者でも容易に見出すことができる箇所にスイッチ７を配置して、当該スイッチを操作することにより、便房内の機器の配置やその操作方法が音声によって説明されるようにする。音声案内装置は、音声情報の記録及び再生手段と、スピーカ６と、再生動作を開始するスイッチ７とを備え、前記記録及び再生手段には便房内の機器の位置及びその種類ないし操作方法を説明する音声情報が記録されている。スイッチ７は、押しボタンスイッチないしタッチスイッチとし、便房の施錠装置の操作部近傍に設ける。【選択図】　　　図２
0003097791.tif 000002
【実用新案登録請求の範囲】
【請求項１】
音声情報の記録及び再生手段（１５）と、スピーカ（６）と、再生動作を開始するスイッチ（７）とを備え、前記記録及び再生手段には便房内の機器の位置及びその種類ないし操作方法を説明する音声情報が記録されていることを特徴とする、音声案内装置付き便房。
【請求項２】
前記スイッチ（７）が便房の施錠装置（２）の操作部近傍に設けられている押しボタンスイッチないしタッチスイッチである、請求項１記載の便房。
【請求項３】
音声情報の記録及び再生手段（１５）と、スピーカ（６）と、再生動作を開始するスイッチ（７）とを備え、前記記録及び再生手段には便房内の機器の位置及びその種類ないし操作方法を説明する音声情報が記録されていることを特徴とする、音声案内装置。
【考案の詳細な説明】
【０００１】
【考案が属する技術分野】
この考案は、視覚障害者の利用の便を考慮した便房及びこれに取付けられる音声案内装置に関するものである。この明細書で便房とは、内部に便器を備え、ドアと壁で囲まれた一人の人間が入ることを前提としている空間である。
【０００２】
【従来の技術】
便房内には便器、水洗装置、トイレットペーパホルダ、手洗いなどの種々の機器及びこれらの操作装置が配置されている。これらの機器及び操作装置には形状、機能、操作方法の異なる各種のものがあり、便房内における位置も一定ではない。
【０００３】
【考案が解決しようとする課題】
視覚に障害のない者は、視認により機器の種別やその位置及び操作方法を理解できるが、視覚障害者は、視覚によってそのような情報を得ることができない。常時使用する家庭の便房であれば、機器の配置や使用方法を覚えれば良いが、公共施設やホテル、レストランなどに設けられる便房では、内部の機器配置や操作方法を視認できない視覚障害者には、トイレを適正に使用することは困難である。
【０００４】
障害者は、行動や判断に困難を伴うとき、第三者や介護者の補助を受けることができる。しかし、便房は使用中は完全な個室となるため、他人の補助を受けることができない。便房に入る前に機器の配置や使用方法についての説明を受けることはできるが、説明されたことを忘れたり、説明内容と取り違えたときは、聞き直すことができない。
【０００５】
この考案は、視覚障害者が一人で円滑に用足しをすることができる便房を提供することを課題としてなされたものである。
【０００６】
【課題を解決するための手段】
この考案は、便房内の視覚障害者でも容易に見出すことができる箇所にスイッチ７を配置して、当該スイッチを操作することにより、便房内の機器の配置やその操作方法が音声によって説明されるようにすることにより、上記課題を解決している。
【０００７】
即ち、この考案の便房は、音声情報の記録及び再生手段１５と、スピーカ６と、再生動作を開始するスイッチ７とを備えており、前記記録及び再生手段には便房内の機器の位置及びその種類ないし操作方法を説明する音声情報が記録されていることを特徴とするものである。
【０００８】
再生を開始するスイッチ７は、押しボタンスイッチないしタッチスイッチとし、便房の施錠装置２の操作部近傍に設ける。
【０００９】
便房を使用するときは、使用者は施錠装置２を操作してドア１をロックする。視覚障害者は手探りで施錠装置２を操作するので、そのとき、その近傍に設けられたスイッチ７に触れたときないし触れたスイッチを押したときに、機器の配置や使用方法についての音声による説明が行われる。必要があれば、そのスイッチに再度触れることによって説明を繰り返し聞くことができる。
【００１０】
上記構成のこの考案の便房は、請求項３記載の音声案内装置、即ち音声情報の記録及び再生手段１５と、スピーカ６と、再生動作を開始するスイッチ７とを備え、前記記録及び再生手段には便房内の機器の位置及びその種類ないし操作方法を説明する音声情報が記録されていることを特徴とする、音声案内装置４を、便房のドア１の施錠装置２の近傍の壁面３に設置することにより、既設の便房においても容易に実現することができる。
【００１１】
【考案の実施の形態】
図１は、この考案の便房の一例をドアの内側から見た図である。１は便房のドア、２はその施錠装置、３はドア１に隣接する便房の壁面、４は当該壁面の施錠装置２に近い部分に取付けられた音声案内装置である。
【００１２】
図２は、音声案内装置４の拡大正面図で、スピーカ６、再生用タッチスイッチ７及び動作ランプ８が配置されており、ケース側面に配置された音量調整器の摘み９が見えている。１０はケース１１を壁面に固定する取付ねじ用の貫通孔である。ケース１１には、録音用のマイク端子用ジャック、録音スイッチ、電池ケースのカバー、壁面取付用のかぎ状の穴（だるま孔）などが設けられているが、図には表れていない。
【００１３】
図３は音声案内装置のブロック図で、１５はＩＣメモリ及び録音・再生回路を一体化したＬＳＩ、６はスピーカ、１７は音量調整用の可変抵抗器、１８は録音用押しボタンスイッチ、７は再生用タッチスイッチ、１９はマイク端子用のジャック、２０は電源用電池、２１は電池切れ警告用の比較回路、８は動作ランプで、この動作ランプは、電池切れ警告ランプも兼ねている。
【００１４】
ＬＳＩ１５に内蔵されたＩＣメモリに音声を録音するときは、ジャック１９にマイクを接続して、録音用押しボタンスイッチ１８を押す。録音する内容は、使用者の位置を基準にして、どのような種類の機器がどの方向に配置されており、かつその使用をどのように行うかの音声による説明である。例えば、「右側ウォシュレット付き便座、便座に座った状態で１時の方向にトイレットペーパホルダ、２時の方向に押しボタン式洗浄レバー、ウォシュレットボタンは前から止める、おしり、ビデの順。」というような内容の案内である。この例では方向を時計の文字盤における文字の方向で示している。
【００１５】
一般的には、ＩＣメモリに記録される内容は、洋式か和式かの便器の種類、洋式の場合にはウォシュレットが装着されているかどうか、ウォシュレットが装着されているときは、操作ボタンの種類と配置、トイレットペーパホルダの位置、水洗用のハンドルやボタンの位置と操作方法、手洗いが付いているときは、その位置と使用方法などである。
【００１６】
音声案内装置４には、無線や赤外線による音声案内手段を内蔵することもできる。視覚障害者の案内のために、受信機を送信機の方向に向けたとき、あるいは送信機から一定の距離内に受信機が入ったときに、当該受信機に予め録音された音声案内が受信されるようにした赤外線又は無線電波利用の音声案内装置が実用化されており、そのような受信機を所持している視覚障害者もいる。従って、音声案内装置４からその種の受信機に便房内の機器配置や使用方法についての音声による案内を送信する送信手段を設けておけば、受信機を携帯することにより、視覚障害者は便房内にどのような機器が配置されているかや、その使用方法などを当該受信機を用いて聞くことができる。
【００１７】
【考案の効果】
以上説明したこの考案によれば、視覚障害者でも公共施設やレストランのトイレを他人の助けを借りないで使用することが可能になり、障害の軽減が図れると共に、トイレの清潔も確保できるという効果がある。
【図面の簡単な説明】
【図１】この考案の便房のドアを内側から見た図
【図２】音声案内装置の正面図
【図３】音声案内装置のブロック図
【符号の説明】
２　施錠装置
６　スピーカ
７　再生用タッチスイッチ
１５　ＬＳＩ
【図１】
0003097791.tif 000003
【図２】
0003097791.tif 000004
【図３】
0003097791.tif 000005